(57)【要約】【課題】より容易な針穿刺を可能にする簡便な針穿刺補助具を提供する。【解決手段】針穿刺補助具１０は、所定の間隔をもって対向配置された第１の棒状部材１１ａ及び第２の棒状部材１１ｂを備え、第１の棒状部材１１ａ及び第２の棒状部材１１ｂは、連結部材１２ａ及び１２ｂを介して互いに連結されている。針穿刺補助具１０は、被針穿刺者の針穿刺部位（例えば腕）に針穿刺補助具１０を固定する固定バンド１３ａ及び１３ｂを、さらに備える。【選択図】図１
0003147281.tif 000002
【実用新案登録請求の範囲】
【請求項１】
所定の間隔をもって対向配置された第１の棒状部材及び第２の棒状部材が、連結部材を介して互いに連結されてなる針穿刺補助具であって、
前記針穿刺補助具を、被針穿刺者の針穿刺部位に固定する固定手段を備える、
ことを特徴とする針穿刺補助具。
【請求項２】
前記固定手段は、前記針穿刺部位に巻回されることにより、前記針穿刺補助具をその針穿刺部位に固定する固定バンドである、
ことを特徴とする請求項１に記載の針穿刺補助具。
【請求項３】
前記固定バンドは、駆血帯としての機能も有する、
ことを特徴とする請求項２に記載の針穿刺補助具。
【請求項４】
前記固定バンドは、前記固定における前記針穿刺部位の締め付け度合を可変とする手段を備える、
ことを特徴とする請求項２又は３に記載の針穿刺補助具。
【請求項５】
前記固定バンドは、ワンタッチで前記固定を解除する手段を備える、
ことを特徴とする請求項２乃至４のいずれか一項に記載の針穿刺補助具。
【請求項６】
前記連結部材は、前記所定の間隔を可変とする伸縮機構を備える、
ことを特徴とする請求項１乃至５のいずれか一項に記載の針穿刺補助具。
【請求項７】
前記連結部材は、フレキシブルに塑性変形可能な材料からなる、
ことを特徴とする請求項１乃至５のいずれか一項に記載の針穿刺補助具。
【請求項８】
前記第１の棒状部材及び前記第２の棒状部材は、高さを可変とする伸縮機構を備える、
ことを特徴とする請求項１乃至７のいずれか一項に記載の針穿刺補助具。
【請求項９】
前記針穿刺補助具には、針穿刺角度及び針穿刺方向及び針穿刺位置の少なくとも１つを示す目印が設けられている、
ことを特徴とする請求項１乃至８のいずれか一項に記載の針穿刺補助具。
【考案の詳細な説明】
【技術分野】
【０００１】
本考案は血管への針穿刺を容易にする補助具に関する。
【背景技術】
【０００２】
医療行為を行う上で、採血、注射、点滴等における血管への針穿刺は極めて頻繁に行われる。そして、この針穿刺に際しては、針の穿刺方向が血管の軸方向（血流方向）と一致していることが望ましい。しかし、注射針等を針穿刺部位（例えば腕）に刺そうとすると血管が皮下で逃げてしまい、両方向をそのように一致させることは必ずしも容易ではない。
【０００３】
そこで、本願考案者は、すでに特許文献１に記載されるような針穿刺補助具を提案している。この針穿刺補助具は、互いに対向配置された２つの棒状部材を備え、注射針等の針を、それら２つの棒状部材の間の血管に穿刺することで、針穿刺時における血管の逃げを、それら棒状部材により抑制するようにしたものである。
【０００４】
【特許文献１】実用新案登録第３１１２６３８号公報
【考案の開示】
【考案が解決しようとする課題】
【０００５】
しかしながら、上記特許文献１に記載の針穿刺補助具であっても、実用上、不便があり、未だ改善の余地が残されている。
【０００６】
本考案は、こうした実情に鑑みてなされたものであり、より容易な針穿刺を可能にする簡便な針穿刺補助具を提供することを目的とする。
【課題を解決するための手段】
【０００７】
上記課題を解決するため、本考案の第１の観点に係る針穿刺補助具は、所定の間隔をもって対向配置された第１の棒状部材及び第２の棒状部材が、連結部材を介して互いに連結されてなる針穿刺補助具であって、前記針穿刺補助具を、被針穿刺者の針穿刺部位に固定する固定手段を備える、ことを特徴とする。
【０００８】
前記固定手段は、前記針穿刺部位に巻回されることにより、前記針穿刺補助具をその針穿刺部位に固定する固定バンドである、構造としてもよい。
【０００９】
前記固定バンドは、駆血帯としての機能も有する、構造としてもよい。
【００１０】
前記固定バンドは、前記固定における前記針穿刺部位の締め付け度合を可変とする手段を備える、構造としてもよい。
【００１１】
前記固定バンドは、ワンタッチで前記固定を解除する手段を備える、構造としてもよい。
【００１２】
前記連結部材は、前記所定の間隔を可変とする伸縮機構を備える、構造としてもよい。
【００１３】
前記連結部材は、フレキシブルに塑性変形可能な材料からなる、構造としてもよい。
【００１４】
前記第１の棒状部材及び前記第２の棒状部材は、高さを可変とする伸縮機構を備える、構造としてもよい。
【００１５】
前記針穿刺補助具には、針穿刺角度及び針穿刺方向及び針穿刺位置の少なくとも１つを示す目印が設けられている、構造としてもよい。
【考案の効果】
【００１６】
より容易な針穿刺を可能にする簡便な針穿刺補助具を提供する。
【考案を実施するための最良の形態】
【００１７】
以下、本考案に係る針穿刺補助具を具体化した一実施形態について説明する。
【００１８】
本実施形態に係る針穿刺補助具１０は、図１（ａ）乃至（ｃ）に示すように、所定の間隔ｄ１をもって対向配置された第１の棒状部材１１ａ及び第２の棒状部材１１ｂを備え、これら第１及び第２の棒状部材１１ａ及び１１ｂが、第１の連結部材１２ａ及び第２の連結部材１２ｂを介して互いに連結されている。さらに、針穿刺補助具１０は、被針穿刺者の針穿刺部位（例えば腕）に針穿刺補助具１０を固定する固定手段として、第１の固定バンド１３ａ及び第２の固定バンド１３ｂを備える。
【００１９】
なお、棒状部材１１ａ及び１１ｂ、並びに連結部材１２ａ及び１２ｂの材料としては、例えば樹脂材料（プラスチック等）などを用いることができる。もっとも、これら各部材の材料に特に制限はなく、剛性又は弾性を有する樹脂系材料、ガラス、木材、又は金属など、種々の素材を使用することができる。また、第１の固定バンド１３ａ及び第２の固定バンド１３ｂの材料としては、例えばゴムなどを用いることができる。ただし、固定バンド１３ａ及び１３ｂの材料は、これに限られず任意であり、例えばポリエステルなども用いることができる。これら各部材の材料としては、耐食性や生体に対する相性に優れる素材がより好ましい。また、棒状部材１１ａ及び１１ｂを透明な材料で形成するようにすれば、針穿刺者（医師等の針穿刺を行う者）が、被針穿刺者（患者等の針穿刺を受ける者）の皮膚の変化を目視することが可能になるため、より好ましい。さらに、透明な棒状部材１１ａ及び１１ｂの内部に任意の光源（例えば照明用。その他、目印用なども可）を設け、針穿刺部位を照らすなどして、血管が浮き上がって見えるようにしてもよい。
【００２０】
第１及び第２の棒状部材１１ａ及び１１ｂは、それぞれ軸方向（長手方向）に垂直な断面（横断面）として、矩形状（例えば正方形又は長方形など）の断面を有し、さらに、各部材の先後端面、底面（下面）、及び両部材の対向面として、平坦な先端面１１１ａ，１１１ｂ、平坦な後端面１１２ａ，１１２ｂ、平坦な底面１１３ａ，１１３ｂ、及び平坦な対向面１１４ａ，１１４ｂを、それぞれ有する。ここで、第１及び第２の棒状部材１１ａ及び１１ｂの対応する面、すなわち先端面１１１ａ及び１１１ｂ、又は後端面１１２ａ及び１１２ｂ、又は底面１１３ａ及び１１３ｂは、それぞれ同一平面上に形成されている。また、対向面１１４ａ，１１４ｂは、平行に配置されている。なお、第１及び第２の棒状部材１１ａ及び１１ｂの間隔ｄ１は、棒状部材１１ａ及び１１ｂの間に、針穿刺すべき血管を挟むことができる程度の間隔に設定されている。
【００２１】
第１及び第２の棒状部材１１ａ及び１１ｂの各後端部上面には、棒状部材１１ａ及び１１ｂを連結する第１の連結部材１２ａの各端部が固定されており、第１及び第２の棒状部材１１ａ及び１１ｂは、第１の連結部材１２ａにより互いに連結されている。さらに、第１及び第２の棒状部材１１ａ，１１ｂの、より先端側の位置、詳しくは先端側に針穿刺のための領域Ｒ１が確保される位置の部材上面には、第２の連結部材１２ｂの各端部が固定され、第１及び第２の棒状部材１１ａ，１１ｂは、第２の連結部材１２ｂによっても、互いに連結されている。このように針穿刺のための領域Ｒ１を確保することで、針の穿刺が容易になる。
【００２２】
第１の固定バンド１３ａ，第２の固定バンド１３ｂは、図２に示すように、それぞれ第１の面ファスナ部１３１ａ、第２の面ファスナ部１３１ｂを備え、第１の面ファスナ部１３１ａと第２の面ファスナ部１３１ｂとを相互に貼り合わせることで、第１及び第２の固定バンド１３ａ及び１３ｂを脱着可能な状態で結合することができるようになっている。固定バンド１３ａ及び１３ｂにより針穿刺補助具１０を針穿刺部位に装着する際には、第１の面ファスナ部１３１ａと第２の面ファスナ部１３１ｂとの重ね合わせ位置により、針穿刺部位に対するバンドの締め付け度合を調整することができる。なお、第１及び第２の面ファスナ部１３１ａ及び１３１ｂは、一般にベルクロテープ（登録商標）と呼ばれるものであり、フック状に起毛された側（例えば第１の面ファスナ部１３１ａ）とループ状に密集して起毛された側（例えば第２の面ファスナ部１３１ｂ）とを押し付けるだけで簡単に貼り付き、少しの力を加えるだけで、ワンタッチ（１回の動作）で簡単に引き剥がす（分離させる）ことができる。
【００２３】
第１及び第２の固定バンド１３ａ及び１３ｂは、例えば被針穿刺者の針穿刺部位（例えば腕）に巻回されて、面ファスナ部１３１ａ及び１３１ｂで留められることにより、針穿刺補助具１０を針穿刺部位に固定する。また、固定バンド１３ａ及び１３ｂは、こうした固定機能に加えて、駆血帯としての機能も有する。すなわち、例えば採血や血圧計測の際などには、固定バンド１３ａ及び１３ｂを被針穿刺者の針穿刺部位に巻き付けることで、一時的に阻血し、静脈をふくれあがらせることができる。
【００２４】
こうした針穿刺補助具１０は、例えば採血に使用することができる。例えば被針穿刺者の腕に注射して採血する場合には、例えば図３（ａ）に示すように、被針穿刺者の身体の採血部上方（より心臓に近い位置）に、例えばゴム紐からなる駆血帯２０１を巻き付け、一時的に阻血する。そしてこの状態で、第１及び第２の棒状部材１１ａ及び１１ｂの底面１１３ａ及び１１３ｂを、被針穿刺者の採血部である腕１０１（針穿刺部位）の皮膚表面に押し当て、固定バンド１３ａ及び１３ｂにより、針穿刺補助具１０を固定する。このとき、針穿刺補助具１０は、例えば図３（ｂ）に示すように、棒状部材１１ａ及び１１ｂの軸方向（長手方向）と、針穿刺すべき血管１０１ａの軸方向（血流方向）と、が平行になるように配置し、棒状部材１１ａ及び１１ｂにより血管１０１ａが挟まれ、ある程度その間に固定されるようにする。
【００２５】
針穿刺（注射針２０２の刺入）に際しては、例えば図３（ｃ）に示すように、注射針２０２を、棒状部材１１ａ，１１ｂの先端側から斜め下方に向かって進ませ、第１の棒状部材１１ａと第２の棒状部材１１ｂとの間に固定された血管１０１ａにその注射針２０２を穿刺する。このとき、皮下の血管１０１ａの横方向への動きは、棒状部材１１ａ及び１１ｂにより抑制されるため、針穿刺者は、針穿刺を容易に行うことができる。針穿刺者は、必要に応じて、指などで針穿刺補助具１０を上面から押さえつけたり、腕１０１の皮膚を引っ張ったりして、針穿刺することができる。
【００２６】
具体的には、針穿刺の際には、図４（ａ）に示すように、針の穿刺方向が血管の軸方向と一致していることが望ましい。しかし、例えば針穿刺補助具１０を用いずに針穿刺しようとしたときは、図４（ｂ）又は図４（ｃ）に示すように、血管１０１ａが皮下で逃げてしまうことがある。このうち、図４（ｂ）に示すように、縦方向に血管が逃げる場合には、例えば図の下方向へ皮膚を引っ張ることにより、改善することも可能であるが、図４（ｃ）に示すように、横方向に逃げる場合には、皮膚を引っ張ることにより改善することは難しい。この点、針穿刺補助具１０を用いて針穿刺する場合には、皮下の血管１０１ａの横方向への動きが棒状部材１１ａ及び１１ｂにより抑制され、針穿刺者は、針穿刺を容易に行うことができるようになる。そしてこの際、針穿刺補助具１０が固定バンド１３ａ及び１３ｂで固定されていることにより、針穿刺の作業性は向上する。なお、針穿刺補助具１０は、前述したとおり、固定バンド１３ａ及び１３ｂによりワンタッチで容易に脱着することができる。
【００２７】
なお、上記実施形態は、以下のように変更して実施してもよい。
【００２８】
注射針の刺入に際して、例えば針穿刺角度、針穿刺方向、又は針穿刺位置の目安となる目印を、針穿刺補助具１０の任意の箇所に設けるようにしてもよい。
【００２９】
例えば図５（ａ）に示すように、第１の棒状部材１１ａ（その他、第２の棒状部材１１ｂ、又は両方も可）の側面（外側又は内側）に、針穿刺角度（基準角度）を示す目印Ｍ１を設けるようにしてもよい。また、目印Ｍ１は、図５（ｂ）に示すように、異なる複数の角度（例えば「１５°」ごとに、１５°、３０°、…という角度）を示すものとしてもよい。この場合、基準角度とその他の角度とを区別して（例えば基準角度を示す線を他の角度よりも太くするなどして）示すようにしてもよい。また、各角度に（又は任意の角度のみに）目盛をふってもよい。
【００３０】
あるいは、例えば図５（ｃ）に示すように、第１の連結部材１２ａ及び第２の連結部材１２ｂ（いずれか一方も可）の頂面（上面）に、針穿刺方向（血管の軸方向に対する針の向き）として、例えば間隔ｄ１の中心軸を示す目印Ｍ２を設けるようにしてもよい。
【００３１】
あるいは、例えば図５（ｄ）に示すように、第１の棒状部材１１ａ及び第２の棒状部材１１ｂ（いずれか一方も可）の頂面（側面も可）、特に領域Ｒ１の面に、所定の針穿刺位置（例えば縦方向）を示す目印Ｍ３を設けるようにしてもよい。なお、前述の目印Ｍ２は、針穿刺位置（横方向）の目安として用いるようにしてもよい。
【００３２】
こうした目印Ｍ１乃至Ｍ３としては、例えば凹凸（例えばＶ字形の切り込み等）、又は着色したマークなどを用いることができる。また、目印Ｍ２及びＭ３を、複数の方向や位置を示すものとして、その方向又は位置に目盛をふってもよい。
【００３３】
連結部材１２ａ及び１２ｂや棒状部材１１ａ及び１１ｂなどの形状や数は、任意である。例えば連結部材１２ａ及び１２ｂは、図６（ａ）に示すように、円弧状（アーチ状）のものであってもよい。また、例えば図６（ｂ）に示すように、１つの連結部材１２ｃで棒状部材１１ａ及び１１ｂを連結するようにしてもよい。あるいは、３つ以上の連結部材で、棒状部材を連結するようにしてもよい。また、棒状部材１１ａ及び１１ｂは、例えば図７（ａ）に示すように、その上面に丸みが形成され、あるいは図７（ｂ）に示すように、対向面１１４ａ及び１１４ｂに丸みが形成されて、横断面が半円形状（かまぼこ形状）になっているものであってもよい。その他、例えば横断面が、三角形状、五角形状、六角形状等の多角形状（角がやや欠けたものや、角が丸みを帯びたものも含む）、又は円形状や楕円形状になっている棒状部材であってもよい。また、棒状部材１１ａ及び１１ｂは、平棒状（帯状）の部材であってもよい。さらには、棒状部材１１ａ及び１１ｂが、必ずしも互いに同一の形状である必要はない。
【００３４】
棒状部材１１ａ及び１１ｂと固定バンド１３ａ及び１３ｂとの連結態様は任意であり、例えば図８に示すように、固定バンド１３ａ，１３ｂを、それぞれ棒状部材１１ａ，１１ｂの側面に連結するようにしてもよい。そして、必要に応じて、皮膚表面に当接する底面１１３ａ及び１１３ｂに、弾性材料等の、皮膚との相性に優れる素材からなる皮膚装着部材を設けるようにしてもよい。
【００３５】
上記実施形態では、棒状部材１１ａ及び１１ｂが、部材頂面（上面）で互いに連結される例を示したが、これに限定されず、棒状部材１１ａ及び１１ｂが、他の面、例えば図９に示すように、対向面１１４ａ及び１１４ｂで、連結部材１２ｃにより互いに連結されるようにしてもよい。
【００３６】
固定バンド１３ａ及び１３ｂの数は任意であり、例えば図９に示されるように、１本の固定バンド１３ｃであってもよい。この場合は、例えば固定バンド１３ｃの両端に設けられた面ファスナ部の相互の連結により、針穿刺補助具を装着する。
【００３７】
固定バンド１３ａ及び１３ｂの連結手段も、任意である。
【００３８】
例えば図１０（ａ）に示すように、腕時計などで多くみられるベルト式の帯連結具Ｓ１を用いるようにしてもよい。この図１０（ａ）の例では、固定バンド１３ｂの腹に設けられた孔Ｓ１ｂに、固定バンド１３ａの針Ｓ１ａが挿入されることで固定することができる。また、孔Ｓ１ｂを固定バンド１３ｂの長さ方向に複数設けておくことで、バンドの長さを調節することができる。
【００３９】
また、例えば図１０（ｂ）に示すように、嵌め込み式の帯連結具Ｓ２を用いるようにしてもよい。この図１０（ｂ）の例では、固定バンド１３ａの腹に設けられた孔Ｓ２ｂに、固定バンド１３ｂの突起部Ｓ２ａが挿入されることで固定することができる。詳しくは、突起部Ｓ２ａは、傘部を有し、この傘部が閉じた状態で孔Ｓ２ｂに挿入され、挿入されている間は孔Ｓ２ｂの内壁に押されてその閉じた状態を保ち、完全に挿入されて傘部が孔Ｓ２ｂから出ると、傘部が開く。これにより、傘部が固定バンド１３ａに係止して、突起部Ｓ２ａが孔Ｓ２ｂから抜けなくなる。もっとも、ユーザが指などで強制的に傘部を閉じつつ引き抜けば、突起部Ｓ２ａを孔Ｓ２ｂから抜くことは可能である。こうした帯連結具であれば、ワンタッチで固定を解除することができる。この場合も、孔Ｓ２ｂを固定バンド１３ａの長さ方向に複数設けておくことで、バンドの長さを調節することができる。
【００４０】
また、例えば図１１（ａ）に示すように、留め具による帯連結具Ｓ３を用いるようにしてもよい。この図１１（ａ）の例では、固定バンド１３ａの端部（連結側）に留め具Ｓ３ａが取り付けられており、この留め具Ｓ３ａにより、固定バンド１３ｂと連結することができる。この場合は、固定バンド１３ｂの留める位置を変更することで、バンドの長さを調節することができる。
【００４１】
また、例えば図１１（ｂ）に示すように、ワンタッチ式の留め具による帯連結具Ｓ４を用いるようにしてもよい。図１１（ｂ）の例では、１本の固定バンド１３ｃの両端を連結しており、固定バンド１３ｃの一端に、留め具Ｓ４ａが取り付けられている。留め具Ｓ４ａは、公知の留め具であり、操作レバーＳ４ｂを上下させることでバンドの固定又はその解除をすることができる。こうした留め具Ｓ４ａであれば、ワンタッチで固定を解除することができる。また、留め具Ｓ４ａの固定を解除した状態で、固定バンド１３ｃの留める位置を変更することにより、バンドの長さを調節することができる。
【００４２】
また、例えば図１２（ａ）に示すように、フック式の帯連結具Ｓ５を用いるようにしてもよい。この図１２（ａ）の例では、固定バンド１３ａの端部（連結側）にフックＳ５ａが取り付けられており、固定バンド１３ｂの端部（連結側）に円環状の受け具Ｓ５ｂが取り付けられている。こうした帯連結具Ｓ５では、フックＳ５ａを受け具Ｓ５ｂに引っ掛けることにより、固定バンド１３ａと固定バンド１３ｂとを連結することができる。これにより、ワンタッチで、針穿刺補助具１０が脱着可能となる。
【００４３】
また、例えば図１２（ｂ）に示すように、ピンチ式の帯連結具Ｓ６を用いるようにしてもよい。この図１２（ｂ）の例では、固定バンド１３ａの端部（連結側）にピンチＳ６ａが取り付けられている。こうした帯連結具Ｓ６では、ピンチＳ６ａにより、固定バンド１３ｂ（例えばゴムチューブ）の端部を挟持して、固定バンド１３ａと固定バンド１３ｂとを連結することができる。これにより、ワンタッチで、針穿刺補助具１０が脱着可能となる。
【００４４】
上記図１０乃至図１２に示した帯連結具を組み合わせて用いることもできる。例えば図１２（ａ）又は（ｂ）の帯連結具に、図１１（ａ）又は（ｂ）の帯連結具を組み合わせるようにすれば、バンドの長さを容易に調節することができるようになる。また、バンドの長さに応じて、針穿刺部位に対するバンドの締め付け度合も調整することができる。
【００４５】
針穿刺補助具１０の固定手段としても、固定バンドに限られず、例えば図１３に示すように、固定バンドに代えて、リング状のＣ形クリップ１３ｄを用いることもできる。このＣ形クリップの材料としては、例えば高分子材料などの弾性材料を用いることができる。こうした高分子材料としては、例えばアセタール、ナイロン、ポリプロピレン、又はポリエチレン等が有効である。なお、Ｃ形クリップ１３ｄに伸縮機構（例えば後述の図１５乃至図１７に示す機構などを適用可）を設けることで、針穿刺部位に対するバンドの締め付け度合を調整することができるようになる。
【００４６】
図１４に示すように、連結部材１２ａ及び１２ｂに、それぞれ棒状部材１１ａ及び１１ｂ間の間隔を可変とすべく連結部材１２ａ（又は連結部材１２ｂ）の軸方向（長手方向）に伸縮する伸縮機構１５を設けるようにしてもよい。この図１４の例では、連結部材１２ａ（又は連結部材１２ｂ）が、（ａ）の状態から、（ｂ）の方向に縮み、（ｃ）の方向に伸びる。
【００４７】
伸縮機構１５としては、例えば図１５に示すような伸縮機構１５１を用いることができる。この図１５の例では、ユーザがストッパー１５１ｂを操作して、連結部材１２ａ（又は連結部材１２ｂ）に形成された凹部（切り込み）１５１ａと、ストッパー１５１ｂの先端とを係合させることで、連結部材１２ａの伸縮動作が係止される。また、ユーザがストッパー１５１ｂを操作して、その係合（ロック）を外す（解除する）ことで、連結部材１２ａの係止（固定）が解除され、連結部材１２ａが伸縮可能になる。
【００４８】
またこれに代えて、例えば図１６に示すような伸縮機構１５２を用いるようにしてもよい。この図１６の例では、（ａ）の方向（例えば伸びる方向）に連結部材１２ａ（又は連結部材１２ｂ）が移動する場合には、連結部材１２ａに設けられた係合部１５２ａ（例えば凹凸を有する突起）は、受け材１５２ｂの係合部（例えば凹凸）に係合せず、そのまま移動することができる。他方、（ｂ）の方向（例えば縮む方向）に連結部材１２ａが移動する場合には、係合部１５２ａと受け材１５２ｂの凹凸とが係合し、連結部材１２ａの伸縮動作が係止される。こうした伸縮機構１５２において、例えばユーザの操作により、係合部１５２ａと受け材１５２ｂの凹凸との係合（ロック）を外す（解除する）ことを可能にし、且つ、ばね等により（ｂ）の方向に付勢しておけば、ユーザの操作によりその係合を外すことで、容易に原点復帰する（元の長さに戻る）ことができる。
【００４９】
またこれに代えて、例えば図１７に示すようなチェーン（鎖）式の伸縮機構１５３を用いるようにしてもよい。この図１７の例では、連結部材１２ａ（又は連結部材１２ｂ）が、（ａ）の方向に縮み、（ｂ）の方向に伸びる。
【００５０】
図１８に示すように、連結部材１２ａ（又は連結部材１２ｂ）の軸方向の伸縮機構１５ａを、棒状部材１１ａ又は１１ｂに内蔵するようにしてもよい。また、棒状部材１１ａ及び１１ｂに、それぞれ高さを調整するための伸縮機構１５ｂ（例えば図１５乃至図１７の機構を適用可）を設けるようにしてもよい。このように、伸縮機構１５ａと伸縮機構１５ｂとを組み合わせることで、棒状部材１１ａ及び１１ｂの間隔及び高さを、それぞれ調整することが可能になる。
【００５１】
連結部材１２ａ及び１２ｂは、例えば図１９に示すように、フレキシブルに塑性変形可能な材料で形成するようにしてもよい。こうした連結部材１２ａ及び１２ｂによっても、棒状部材１１ａ及び１１ｂ間の間隔を任意に可変設定することができる。
【００５２】
図２０（ａ）に示すように、針穿刺者の指を保護するための保護カバー１７ａ及び１７ｂを、棒状部材１１ａ及び１１ｂに設けてもよい。こうした針穿刺補助具１０によれば、針穿刺の際に、医師等の針穿刺者が、指を保護カバー１７ａ及び１７ｂ内に挿入することで、針穿刺の作業中、指が保護され、より安全に針穿刺することができるようになる。また、こうした保護カバー１７ａ及び１７ｂは、図２０（ｂ）に示すように、指の挿入方向と針の挿入方向とが鋭角をなすように設けるようにしてもよい。
【図面の簡単な説明】
【００５３】
【図１】本考案に係る針穿刺補助具の一実施形態について、（ａ）は斜視図、（ｂ）は正面図、（ｃ）は側面図である。
【図２】（ａ）及び（ｂ）は、固定バンドを示す図である。
【図３】（ａ）乃至（ｃ）は、針穿刺補助具の使用態様を例示する図である。
【図４】（ａ）乃至（ｃ）は、針穿刺における血管の動きを例示する図である。
【図５】（ａ）乃至（ｄ）は、針穿刺角度、針穿刺方向、又は針穿刺位置の目印を例示する図である。
【図６】（ａ）及び（ｂ）は、連結部材の別例を示す図である。
【図７】（ａ）及び（ｂ）は、棒状部材の別例を示す図である。
【図８】固定バンドの連結態様の別例を示す図である。
【図９】針穿刺補助具の他の実施形態について、（ａ）は斜視図、（ｂ）は正面図、（ｃ）は側面図である。
【図１０】（ａ）及び（ｂ）は、固定バンドの連結手段の別例を示す図である。
【図１１】（ａ）及び（ｂ）は、固定バンドの連結手段の別例を示す図である。
【図１２】（ａ）及び（ｂ）は、固定バンドの連結手段の別例を示す図である。
【図１３】針穿刺補助具の固定手段の別例を示す図である。
【図１４】連結部材の伸縮機構を備える針穿刺補助具について、（ａ）は初期状態、（ｂ）は伸状態、（ｃ）は縮状態を示す図である。
【図１５】連結部材の伸縮機構の一例を示す図である。
【図１６】（ａ）及び（ｂ）は、連結部材の伸縮機構の一例を示す図である。
【図１７】連結部材の伸縮機構の一例について、（ａ）は縮状態、（ｂ）は伸状態を示す図である。
【図１８】棒状部材の高さを調整する伸縮機構を備える針穿刺補助具の一例を示す図である。
【図１９】連結部材の別例を示す図である。
【図２０】（ａ），（ｂ）は、それぞれ保護カバーを備える針穿刺補助具の一例を示す図である。
【符号の説明】
【００５４】
１０  針穿刺補助具
１１ａ  第１の棒状部材
１１ｂ  第２の棒状部材
１２ａ  第１の連結部材
１２ｂ  第２の連結部材
１２ｃ  連結部材
１３ａ  第１の固定バンド
１３ｂ  第２の固定バンド
１３ｃ  固定バンド
１３ｄ  Ｃ形クリップ
１５、１５ａ、１５ｂ、１５１、１５２、１５３  伸縮機構
１３１ａ  第１の面ファスナ部
１３１ｂ  第２の面ファスナ部
Ｓ１乃至Ｓ６  帯連結具
【図１】
0003147281.tif 000003
【図２】
0003147281.tif 000004
【図３】
0003147281.tif 000005
【図４】
0003147281.tif 000006
【図５】
0003147281.tif 000007
【図６】
0003147281.tif 000008
【図７】
0003147281.tif 000009
【図８】
0003147281.tif 000010
【図９】
0003147281.tif 000011
【図１０】
0003147281.tif 000012
【図１１】
0003147281.tif 000013
【図１２】
0003147281.tif 000014
【図１３】
0003147281.tif 000015
【図１４】
0003147281.tif 000016
【図１５】
0003147281.tif 000017
【図１６】
0003147281.tif 000018
【図１７】
0003147281.tif 000019
【図１８】
0003147281.tif 000020
【図１９】
0003147281.tif 000021
【図２０】
0003147281.tif 000022